(57)【要約】【課題】  洗面化粧台での電気機器の頻繁な使用に容易に対応させると共に収納部への良好な収納性も確保して洗面化粧台の使い勝手を向上できると共に、電気機器の不使用時に給電コードを洗面化粧台に露出させずに給電コードでの不具合発生を回避できる洗面化粧台を提供する。【解決手段】  洗面化粧台１で使用する電気機器２を収納可能にする収納部３と、上記電気機器２の本体２ａに設けた受電部６に対して接続する給電部７が先端に備わる給電コード５を収納自在に巻装したコードリール４とを備える。【選択図】図１
2008237603.tif 000002
【特許請求の範囲】
【請求項１】
洗面化粧台で使用する電気機器を収納可能にする収納部と、上記電気機器の本体に設けた受電部に対して接続する給電部が先端に備わる給電コードを収納自在に巻装したコードリールとを備えて成ることを特徴とする洗面化粧台。
【請求項２】
給電コードの先端に給電部を備えた摘み部を設け、洗面化粧台の外面に指挿入用の凹部を凹設し、洗面化粧台に隠匿して配設したコードリールへの給電コードの収納時に、摘み部が凹部の底部から略垂直に突出した状態で凹部内に収容されると共に、摘み部の外面と凹部の内面との間に指挿入空間が形成されて成ることを特徴とする請求項１記載の洗面化粧台。
【発明の詳細な説明】
【技術分野】
【０００１】
本発明は、洗面化粧台に関するものである。
【背景技術】
【０００２】
従来から、洗面化粧台１では、ヘアドライヤー２０´（図９）や電動歯磨きや電気カミソリ等の様々な電気機器２を用いて整髪や髭剃りなどの様々な洗面作業が行われているが、これら洗面化粧台１で使用する電気機器２は各洗面作業のたびに収納場所から出し入れして使用するのであり、面倒臭いものであった。殊に、電気機器２はその本体２ａから洗面化粧台１に備えられるコンセント３５に差し込むための差込プラグ３６を先端に備えた給電コード５が延出されており、その収納の際には給電コード５を束ねて収納場所に仕舞わねばならず、給電コード５が収納場所に綺麗に収まり切らなかったり、他の収納物の収納場所への収納を邪魔してしまうこともあり、その収納に手間取る場合もある。
【０００３】
このような煩雑な使い勝手を理由に、しばしば電気機器２をその不使用時にも洗面化粧台１に出しっぱなしにしてしまうことも多々あるが、この場合には露出する給電コード５が洗面化粧台１の外観を煩雑にして悪化させるばかりか、露出する給電コード５に洗面化粧台１で使用した水がかかって、給電コード５の劣化やショートを引き起こす恐れも生じさせるものであった。なお図１０のように、特許文献１では洗面化粧台１のカウンター上を積極的に電気機器２の収納場所（収納部３）とし、電気機器２の本体２ａから延出する給電コード５を洗面化粧台１に設けた係止部３４に係止させることも行われているが、この洗面化粧台１であっても、先述の洗面化粧台１に露出した給電コード５の水による劣化やショート等の不具合発生の恐れを回避できるものではなかった。
【特許文献１】特開平８−７９７８号公報
【発明の開示】
【発明が解決しようとする課題】
【０００４】
本発明は上記の点に鑑みてなされたものであり、その目的とするところは、洗面化粧台での電気機器の頻繁な使用に容易に対応させると共に収納部への良好な収納性も確保して洗面化粧台の使い勝手を向上できると共に、電気機器の不使用時に給電コードを洗面化粧台に露出させずに給電コードでの不具合発生を回避できる洗面化粧台を提供することを課題とするものである。
【課題を解決するための手段】
【０００５】
上記課題を解決するために請求項１に係る洗面化粧台１にあっては、洗面化粧台１で使用する電気機器２を収納可能にする収納部３と、上記電気機器２の本体２ａに設けた受電部６に対して接続する給電部７が先端に備わる給電コード５を収納自在に巻装したコードリール４とを備えて成ることを特徴とする。
【０００６】
これによると、電気機器２を収納部３から取り出すと共にコードリール４から給電コード５を引き出してその給電部７を電気機器２の本体２ａに設けた受電部６に接続するという簡単作業で電気機器２を洗面化粧台１で使用できるため、洗面化粧台１での電気機器２の頻繁な使用にも容易に対応することができる。また、電気機器２の不使用時には給電コード５は洗面化粧台１に設けたコードリール４に収納できるため、洗面化粧台１に給電コード５が露出される状態を簡単に回避でき、水によるショートなどの給電コード５での不具合発生を回避できる。また、上記のように電気機器２の不使用時には給電コード５は洗面化粧台１に設けたコードリール４に収納されるため、不使用時の電気機器２ではその本体２ａから給電コード５が延出しなく、電気機器２を収納部３に対して容易に収納できると共に収納部３への他の収納物の収納も電気機器２から延出される給電コード５で邪魔されることも無くすことができる。つまり、洗面化粧台１での電気機器２の頻繁な使用にも容易に対応させると共に収納部３への良好な収納性も確保できて洗面化粧台１の使い勝手を向上でき、更に電気機器２の不使用時には給電コード５の露出状態を容易に回避できて給電コード５でのショート等の不具合発生を容易に回避できるのである。
【０００７】
また、請求項２に係る洗面化粧台１にあっては、請求項１において、給電コード５の先端に給電部７を備えた摘み部５ａを設け、洗面化粧台１の外面に指挿入用の凹部８を凹設し、洗面化粧台１に隠匿して配設したコードリール４への給電コード５の収納時に、摘み部５ａが凹部８の底部８ａから略垂直に突出した状態で凹部８内に収容されると共に、摘み部５ａの外面と凹部８の内面との間に指挿入空間８ｃが形成されて成ることを特徴とする。
【０００８】
これによると、給電コード５は指挿入空間８ｃに挿入した指でその摘み部５ａを摘むことで容易に引き出すことができるのであり、また、収納時の凹部８の底部８ａから略垂直に突出した状態の給電コード５をその突出方向に対して角度をつけるように引き出した際には、凹部８の前縁８ｂに給電コード５が接触してそれ以上給電コード５が曲げられることが回避されるから、急激に曲げられて給電コード５が破断する恐れを低減できる。
【発明の効果】
【０００９】
本発明にあっては、洗面化粧台での電気機器の頻繁な使用にも容易に対応させると共に収納部への良好な収納性も確保して洗面化粧台の使い勝手を向上できると共に、電気機器の不使用時に給電コードを洗面化粧台に露出させずに給電コードでの不具合発生を回避できる、という利点を有する。
【発明を実施するための最良の形態】
【００１０】
以下、本発明を添付図面に示す実施形態に基いて説明する。
【００１１】
本例の洗面化粧台１は、図２や図３のように、洗面ボウル１３を備えた洗面台１１の後部に洗面ボウル１３での水跳ねを受けるための立ち上がり壁部１４を立設し、前面にミラー１５を備えたミラーキャビネット１２を立ち上がり壁部１４の上に載設して構成されている。
【００１２】
ここで、本例の洗面ボウル１３は樹脂製であり、ボウル部１３ａの後部から鉛直板状の立ち上がり壁部１４を一体に上方に延出してあり、ボウル部１３ａの後部の幅方向の中央部ではボウル部１３ａの底面から立ち上がる側面が立ち上がり壁部１４に連続して繋がるようにされ、ボウル部１３ａの後部の幅方向の両端部ではボウル部１３ａの上面より一段下がるような台部１３ｂがボウル部１３ａの底面から立設されている。
【００１３】
また、ミラーキャビネット１２は、図４のように、前方に開口した函状のキャビネット部１０とキャビネット部１０の前方開口を塞ぐように配置される扉１６とを有する。キャビネット部１０はその内部空間が、縦リブ１７や棚となる横リブ１８によって、複数の収納部３に区分けされている。これら収納部３には、洗面化粧台１で行う洗面作業に使用する電気機器２や、洗面作業に使用する整髪剤等の収納物が収納可能である。扉１６はキャビネット部１０の幅方向に並んで複数（本例では３つ）設けられており、各扉１６の前面には略全面に亙ってミラー１５がそれぞれ貼着されていてミラー１５付きの扉１６にされている。各扉１６は、その幅方向の一端がキャビネット部１０に枢支されて収納部３を開閉するように回動自在にされており、両側の扉１６を前方に回動させたときには、各扉１６のミラー１５が洗面化粧台１の幅方向の中央前方に立つ使用者に向くような３面鏡状にできるようにされている。なお、各扉１６はその下端がキャビネット部１０の下端と略同位置になるようにキャビネット部１０に取着されている。また、キャビネット部１０の上端には洗面化粧台１の前方を照らすことのできる照明装置１９が載設される。
【００１４】
キャビネット部１０の下端部には幅方向の中央部分にカラン部２１が配置されている。カラン部２１は湯水混合栓や吐水管２２や吐水操作杆２３を有している。なお、湯水混合栓は洗面化粧台１１を沿わせる建物壁の壁内や立ち上がり壁部１４の内部に配管される給湯管や給水管に接続される。吐水管２２は湯水混合栓で混合された水を吐出する部位である。吐水操作杆２３は湯水混合栓での湯水の混合比と吐水量を操作可能なレバーである。ここで、カラン部２１の主要部構成物である湯水混合栓はキャビネット部１０の前面部や扉１６で隠匿されている。一方、湯水混合栓から垂下する吐水管２２や吐水操作杆２３はキャビネット部１０や扉１６から下方に突出されて洗面化粧台１の前方の使用者に目視され、使用、操作可能にされている。なお、吐水管２２から吐水される洗面用の水は台部１３ｂにかからず、ボウル部１３ａの底面に至るようにされている。したがって、本例の洗面化粧台１は、扉１６を閉めたときには、煩雑な印象を与えるカラン部２１をその使用、操作に支障をきたさない程度に極力外観に出さないようにされ、すっきりとしたシンプルな外観が現出されるようになっている。
【００１５】
また、キャビネット部１０の下端部にはキャビネット部１０の前面部で隠匿されるようにコードリール４が内装されている。本例のキャビネット部１０の下端部では、上述のように幅方向の中央部にカラン部２１が配設されているので、これと干渉しないようにコードリール４は幅方向の側部に配設されている。このコードリール４は、基端が給電源に接続されると共に先端に電気機器２の本体２ａに設けた受電部６に接続するための給電部７を備えた給電コード５が引き出し自在に巻装されている。
【００１６】
ここで、洗面化粧台１で行う整髪や髭剃りなどの様々な洗面作業に使用される電気機器２には電動刃磨き器や電気カミソリや電動除毛器やヘアドライヤー２０等の理容機器を挙げることができる。ここでは上記電気機器２としてヘアドライヤー２０を例に説明する。従前のヘアドライヤー２０´では図９のように本体２ａから給電コード５が一体に延設されているが、本例の洗面化粧台１で使用するヘアドライヤー２０は図５のように本体２ａから給電コード５が一体に延設されず、代わりに上記のようにその本体２ａにコードリール４に巻装した給電コード５の給電部７を接続させる受電部６が設けられている。受電部６は、図６のようにヘアドライヤー２０の本体２ａを構成する把持部３３の下端に凹設された有底円孔状の嵌合凹部２４を有すると共に、この嵌合凹部２４内にその底部２４ａから垂下されるように受電プラグ２５が設けられている。なお、嵌合凹部２４の内周面にはその周方向に係合用溝２６が穿設されている。一方、この受電部６に接続させる給電コード５の先端の給電部７は、図７のように上記嵌合凹部２４に挿入する円筒状のハウジング２７を有し、受電プラグ２５が挿入されるハウジング２７の内部に受電プラグ２５に電気的接続をさせる給電プラグ２８が設けられている。なお、円筒状のハウジング２７は給電コード５よりも高い剛性を有し、その外周面は指で容易に摘まれる摘み部５ａを構成している。また、ハウジング２７の外周面には係合用突起２９が突設されている。上記受電部６と給電部７とは、受電部６の嵌合凹部２４に給電部７の円筒状のハウジング２７を挿入してその軸周りに回動させることで係合用溝２６と係合用突起２９とが係合するバヨネット結合にて機械的接続が為され、このときハウジング２７の内部に受電プラグ２５が挿入されて給電プラグ２８と受電プラグ２５との電気的接続が為されるようになっている。
【００１７】
本例のコードリール４は、給電コード５を巻き取る方向にばね付勢されているリールドラム４ａを内蔵すると共に、給電コード５を引き出した時に任意位置で停止させることができるタイプのものであり、図４（ｃ）のようにキャビネット部１０の横リブ１８の内部に上記リールドラム４ａを略水平にさせて配設高さを抑制させた状態で内装され、給電コード５はキャビネット部１０の前面に設けたコード出入部３０から外部に引き出し自在にされている。詳しくは、給電コード５はキャビネット部１０の前面部に穿設した円孔状のコード出入孔３１を通って外部に引き出し自在にされている。
【００１８】
給電コード５をリールドラム４ａにばね付勢により巻取らせてコードリール４に収納させた際には、給電コード５の先端の円筒状の摘み部５ａはコード出入孔３１に係止され、摘み部５ａがコード出入孔３１の軸方向で且つ外方（洗面化粧台１の前方）に突出する状態にされる。詳しくは、図４（ｂ）のように、コード出入孔３１はキャビネット部１０の前面部に凹設された指挿入用の凹部８の底部８ａに対して開口するように形成されており、コードリール４への給電コード５の収納時には、給電コード５の先端の摘み部５ａは凹部８の底部８ａから略垂直に突出した状態で凹部８内に収容されるようにされている。つまり、収納状態にある摘み部５ａの突出先端は、キャビネットの前面部の前面位置よりも後方に引き込む位置に位置される。なお、本例の指挿入用の凹部８はキャビネット部１０の前面部に前方に開口せる半球面状の凹み形状に形成されており、その底部８ａの中央部にコード出入孔３１を開設させていて、コード出入孔３１から前方に突出する給電コード５の先端の摘み部５ａの外周面と凹部８の内周面との間に、指を挿入できる程度の大きさの指挿入空間８ｃを形成させるようにしている。
【００１９】
上記のように収納状態の給電部７が収容されるコード出入部３０はキャビネット部１０の前面に設けられるが、このコード出入部３０はミラー付きの扉がキャビネット部１０の前面を閉塞したときに覆われるようにされる。したがって、扉１６を閉めたときには煩雑な印象を与えるコード出入部３０は外観に現出されず、洗面化粧台１のすっきりとしたシンプルな外観を損なわないようにしてある。
【００２０】
上記構成を有する本例の洗面化粧台１にあっては、図１のように、扉を開放して収納部３に収納された電気機器２を取り出すと共にコードリール４から給電コード５を引き出してその給電部７を電気機器２の本体２ａに設けた受電部６に接続するという簡単作業で、電気機器２を洗面化粧台１で行う洗面作業に使用できるため、洗面化粧台１での電気機器２の頻繁な使用にも容易に対応することができるようになっている。なお、給電コード５の引き出し作業にあっては、上記のように収納状態にある給電コード５の先端の摘み部５ａが指挿入用の凹部８の底部８ａから略垂直に突出した状態にあると共にその周囲には指挿入空間８ｃが設けられているので、指挿入空間８ｃに挿入した指で摘み部５ａを摘んで容易に給電コード５を引き出すことができるようにされ、その作業性が高められている。更に言うと、図８のように、収納時の凹部８の底部８ａから略垂直に突出した状態の給電コード５をその突出方向に対して角度をつけるように引き出した際（本例では凹部８の底部８ａから洗面化粧台１の前方に向けて突出する給電コード５を洗面化粧台１の幅方向に向けて引き出した際）には、凹部８の前縁８ｂに給電コード５が接触してそれ以上給電コード５が曲げられることが回避されるから、急激に曲げられて給電コード５が破断する恐れが低減されているのである。
【００２１】
また、電気機器２の不使用時には給電コード５は洗面化粧台１に設けたコードリール４に収納できるため、洗面化粧台１に給電コード５が露出される状態を簡単に回避できるようになっている（図４（ｂ）（ｃ））。つまり、水によるショートなどの給電コード５での不具合発生が容易に回避できるようになっているのである。また、上記のように電気機器２の不使用時には給電コード５は洗面化粧台１に設けたコードリール４に収納されるため、不使用時の電気機器２ではその本体２ａから給電コード５が延出しなく、電気機器２を収納部３に対して容易に収納できると共に、収納部３への他の収納物の収納においても電気機器２から延出される給電コード５で邪魔されることを無くすことができ、つまり収納部３への収納性も格段に向上されているのである。
【００２２】
このように本例の洗面化粧台１では、洗面化粧台１での電気機器２の頻繁な使用にも容易に対応させると共に収納部３への良好な収納性も確保できて洗面化粧台１の使い勝手を向上でき、更に電気機器２の不使用時には給電コード５の露出状態を容易に回避できて給電コード５でのショート等の不具合発生を容易に回避できるようになっているのである。
【００２３】
なお、本例の洗面化粧台１にあっては、複数の収納部３のうちの一の収納部３が、使用時に給電コード５に着脱自在に接続する電気機器２を専ら収納するための電気機器収納部３ａとされている。本例ではミラーキャビネット１２の幅方向の中央に位置する収納部３が電気機器２としてのヘアドライヤー２０を専ら収納する電気機器収納部３ａとされている。つまり、この収納部３ａの横リブ１８には機器収納用切欠９が上下に貫通するように穿設されており、温風を発生して吹出す出力部３２から把持部３３を突設させて成る本体２ａを有したヘアドライヤー２０における把持部３３を機器収納用切欠９に差し入れその出力部３２を横リブ１８上に載置することで、該収納部３ａに位置決めされた状態でヘアドライヤー２０が収納可能にされている。このように洗面化粧台１にその使用時に給電コード５に着脱自在に接続する電気機器２を専ら収納するための電気機器収納部３ａを備えたことによると、電気機器２の収納性が高まるのは勿論のこと、電気機器２を使用する際に電気機器２を所定の収納部３ａから出し入れすることが徹底されて洗面化粧台１での洗面作業のパターン化を促進でき、洗面化粧台１の使い勝手を向上できる利点も有している。
【図面の簡単な説明】
【００２４】
【図１】本発明の実施の形態の例の洗面化粧台における使用形態を説明する要部の斜視図である。
【図２】同上の洗面化粧台の斜視図である。
【図３】同上の洗面化粧台であり、（ａ）は正面図であり、（ｂ）は側面図である。
【図４】同上のミラーキャビネットであり、（ａ）は正面図であり、（ｂ）は（ａ）のＡ−Ａ線断面図であり、（ｃ）は（ａ）のＢ−Ｂ線の概略の水平面断面図である。
【図５】同上の洗面化粧台で使用する電気機器としてのヘアドライヤーの斜視図である。
【図６】同上の電気機器の受電部であり、（ａ）は正面図であり、（ｂ）は側断面図である。
【図７】同上の給電コードの給電部であり、（ａ）は正面図であり、（ｂ）は側断面図である。
【図８】同上の給電コードを角度をつけて引き出した状態の要部の平面断面図である。
【図９】従前の電気機器（ヘアドライヤー）の斜視図である。
【図１０】従来技術の例の洗面化粧台の斜視図である。
【符号の説明】
【００２５】
１  洗面化粧台
２  電気機器
２ａ  本体
３  収納部
３ａ  電気機器収納部
４  コードリール
５  給電コード
６  受電部
７  給電部
８  指挿入用の凹部
８ａ  底部
８ｂ  前縁
８ｃ  指挿入空間
９  機器収納用切欠
２０  ヘアドライヤー
【図１】
2008237603.tif 000003
【図２】
2008237603.tif 000004
【図３】
2008237603.tif 000005
【図４】
2008237603.tif 000006
【図５】
2008237603.tif 000007
【図６】
2008237603.tif 000008
【図７】
2008237603.tif 000009
【図８】
2008237603.tif 000010
【図９】
2008237603.tif 000011
【図１０】
2008237603.tif 000012